(57)【要約】【課題】汚れが固まったりこびり付いていても容易に掃除することのできる釣り用ブラシを提供する。【解決手段】  ブラシ毛１０を装着した本体部１２と、該本体部に連結した持ち手部１４と、前記本体部の周辺部近くに設けられ、餌入れ等に付着した汚れを削ぎ落とすことのできるへら状部２０とを具備するよう構成する。【選択図】        図１
2006000001.tif 000002
【特許請求の範囲】
【請求項１】
ブラシ毛を装着した本体部と、該本体部に連結した持ち手部と、前記本体部の周辺部近くに設けられ、餌入れ等に付着した汚れを削ぎ落とすことのできるへら状部とを具備することを特徴とする釣り用ブラシ。
【請求項２】
前記へら状部は、先端に行くに従って厚さが薄くなるように形成されている請求項１記載の釣り用ブラシ。
【請求項３】
前記へら状部は、その先端がブラシ毛の装着領域の周縁位置よりも外側に位置している請求項１又は２記載の釣り用ブラシ。
【請求項４】
前記へら状部は、本体部におけるブラシ毛の装着側から遠ざかる斜め方向に形成されている請求項１〜３の何れか１記載の釣り用ブラシ。
【請求項５】
前記へら状部は、本体部の周縁から中心方向に向かう径方向において複数列形成されている請求項１〜４の何れか１記載の釣り用ブラシ。
【発明の詳細な説明】
【技術分野】
【０００１】
本発明は釣り用収納具の汚れを落すために用いられる釣り用ブラシに関する。
【背景技術】
【０００２】
従来から釣りに使用されるビク、バケツ、餌箱、クーラー等の釣り用収納具は汚れが付き易く、それを掃除するためにブラシが使用されてきた。このブラシとしては、台所で使用される家庭用品のブラシの他、下記特許文献１に示すように、釣り用のブラシも提案されている。これは、ハンドルを有するブラシであり、例えば、撒き餌等を収納した釣り用バケツ等に付着した撒き餌、生き餌等の汚れをブラシ毛で擦り落とすことができる。
【特許文献１】特開２００３−１８０２１５号公報
【発明の開示】
【発明が解決しようとする課題】
【０００３】
然しながら、これらの汚れは、未だ水分を多く含んだ状態であればブラシ毛で擦って水で洗い流すことができるが、塩分と共に固まってしまったり、乾燥してこびり付いたりした場合は、上記のようにブラシ毛で擦っただけでは落とすことができなくなる。
従って解決しようとする課題は、汚れが固まったりこびり付いていても容易に掃除することのできる釣り用ブラシを提供することである。
【課題を解決するための手段】
【０００４】
請求項１に係る発明では、ブラシ毛を装着した本体部と、該本体部に連結した持ち手部と、前記本体部の周辺部近くに設けられ、餌入れ等に付着した汚れを削ぎ落とすことのできるへら状部とを具備することを特徴とする釣り用ブラシを提供する。
持ち手部とは、指で摘め、摘んだ状態で掃除ができればよい。
請求項２では、前記へら状部は、先端に行くに従って厚さが薄くなるように形成されている請求項１記載の釣り用ブラシを提供する。
請求項３では、前記へら状部は、その先端がブラシ毛の装着領域の周縁位置よりも外側に位置している請求項１又は２記載の釣り用ブラシを提供する。
請求項４では、前記へら状部は、本体部におけるブラシ毛の装着側から遠ざかる斜め方向に形成されている請求項１〜３の何れか１記載の釣り用ブラシを提供する。
請求項５では、前記へら状部は、本体部の周縁から中心方向に向かう径方向において複数列形成されている請求項１〜４の何れか１記載の釣り用ブラシを提供する。
【発明の効果】
【０００５】
本発明の請求項１では、汚れを落す掃除は、柔らかい汚れはブラシ毛で擦って行え、こびり付いた汚れはへら状部で削ぎ落とすようにしつつ行え、何れの汚れも１つの掃除道具である釣り用ブラシで行え、掃除道具１つの携行で済み、便利である。
請求項２では、へら状部が先端に行くに従って厚さが薄くなるように形成されているため、こびり付いた汚れと収納具の壁面との間に差し込み易く、また、硬くなった汚れを砕き易いため、掃除が容易になる。
請求項３では、へら状部の先端がブラシ毛の装着領域の周縁位置よりも外側に位置しているため、へら状部で掃除をする際に、ブラシ毛が邪魔になり難い。
請求項４では、持ち手部を持って、釣り用ブラシの本体部におけるブラシ毛側とは反対側を収納具の壁面に向けた状態で、こびり付いた汚れを削ぎ落とす場合、へら状部を壁面に圧接させ易い。
請求項５では、へら状部で擦り落す作業の際に、１回の擦り落しで同じ領域を複数回擦れるため汚れの落し残しが少なくなり、効率的である。
【発明を実施するための最良の形態】
【０００６】
以下、本発明を図面を用いて詳細に説明する。図１は、本発明に係る釣り用ブラシの側面図であり、図２は平面図である。プラスチック製等の本体部の一面側には、ブラシ毛１０を立毛状態に設け、本体部側面部の所定位置（後側位置）には、把持して操作するための持ち手部１４を一体的に形成して連結している。更には、本体部の側面部におけるこの持ち手部とは前後方向反対側位置である前側位置（この例では本体部の周辺部でもある）にへら状部２０を設けている。このへら状部は、その先端が、本体部におけるブラシ毛１０の装着領域周縁位置ラインＬよりも前方位置に位置している。この例のへら状部は、図２に示す左右幅全体に亘ってラインＬよりも前方であるが、発明としては、大部分が前方であればよい。また、該へら状部はその先端に行くに従って厚さが薄くなるように形成されている他、本体部におけるブラシ毛の装着側から遠ざかる斜め方向に向かっている。
【０００７】
一方、前記持ち手部には、吊るすための孔１８と、釣り用収納具の壁縁部を侵入可能にさせる凹部１７を設けている。更には、凹部に侵入した前記壁縁部を挟持して外れ難くするための弾力性を有する挟持片部１６が、凹部を形成する上下２壁の内、本体部におけるブラシ毛装着側とは反対側（上側）である一側の壁として持ち手部に形成されている。凹部１７は、壁縁部を釣り用ブラシの前方側から挿入可能なように、（左右側部の他）前側が開口されている。
【０００８】
図３は、釣り用収納具の例としての撒き餌３０を入れる容器４０の壁内側面にこびり付いた汚れ３０’を、前記へら状部にて削り落としている状態を示す。図４は、容器４０の壁縁部を凹部１７に侵入させ、挟持片部１６の弾性力によって挟持して保持した状態を示している。挟持片部１６が、本体部におけるブラシ毛装着側とは反対側に相当する持ち手部の一側（上側）に形成されているため、保持状態ではブラシ毛が容器の中心側を向いている。従って、撒き餌３０をすくって撒くための柄杓５０内にこびり付いた撒き餌残りを、ブラシ毛に押し当てて擦って掃除ができる。
【０００９】
図５は、前述の形態例の一変形例であり、へら状部２０’の先端部を凹凸状に形成している。こうすれば、こびり付いた汚れを擦り落し易くなる。
図６は他の変形例であり、へら状部２０”が先端まで厚さが概ね一定の形態であるが、通常は、図１に示すように先部が尖った形態の方が作業が容易である。
図７は更に他の変形例を示すが、へら状部２０Ａ，２０Ｂは本体部１２の前部周辺部近くに設けられており、その位置が前後方向にずれている。即ち、へら状部２０Ａが図７の図面に交差する方向に延伸しており、その直後位置（持ち手部１４寄りの位置）に他のへら状部２０Ｂが同方向に延伸している。この場合、前側のへら状部２０Ａの先端位置は、既述のラインＬよりも前方であり、請求項３に係る発明の範囲である。
【００１０】
図８は他の形態例の側面図を示し、図９はその平面図である。本体部１２の上面部に持ち手部１４’が一体的に連結形成されており、持ち手部を左右から指で挟むようにして保持できる。また、へら状部２０は本体部の前方部のみならず、左右部にも設けられている点にも特徴がある。従って、左右のへら状部を使っても汚れを削ぎ落とせる。更には、へら状部が、斜め方向ではなく、本体部の広がり方向（ブラシ毛に直交する方向）に延伸している点にも特徴がある。へら状部を収納具の壁面にあまり斜めにならないような浅い角度で突き当てることができるため、壁面と汚れの間に差し込んで汚れを削ぎ落とし易い。
【００１１】
上記例では、容器の壁縁部を挟持して保持する構造にはなっていないが、その構造を持たせた形態例を図１０に示している。持ち手部１４’は本体部１２の上面部に一体的に連結形成されており、挟持片部１６は、釣り用収納具の壁縁部を侵入可能にさせる凹部１７を区画形成する上下壁の内の、本体部におけるブラシ毛装着側とは反対側に相当する上側の壁として形成されている。
【００１２】
以上の各形態例とは異なり、持ち手部は本体部１２に対して一体形成されておらず、適宜な手段で連結されていてもよい。
【産業上の利用可能性】
【００１３】
本発明は、釣り用収納具の汚れを落すために用いられる釣り用ブラシとして利用できる。
【図面の簡単な説明】
【００１４】
【図１】図１は本発明に係る釣り用ブラシの側面図である。
【図２】図２は図１のブラシの平面図である。
【図３】図３は図１のブラシの一使用形態例を示す図である。
【図４】図４は図１のブラシの他の使用形態例を示す図である。
【図５】図５は他の形態例の釣り用ブラシの平面図である。
【図６】図６は他の形態例の釣り用ブラシの側面図である。
【図７】図７は他の形態例の釣り用ブラシの側面図である。
【図８】図８は他の形態例の釣り用ブラシの側面図である。
【図９】図９は図８のブラシの平面図である。
【図１０】図１０は他の形態例の釣り用ブラシの側面図である。
【図１１】は図１０のブラシの平面図である。
【符号の説明】
【００１５】
１０              ブラシ毛
１２              本体部
１４              持ち手部
２０              へら状部
【図１】
2006000001.tif 000003
【図２】
2006000001.tif 000004
【図３】
2006000001.tif 000005
【図４】
2006000001.tif 000006
【図５】
2006000001.tif 000007
【図６】
2006000001.tif 000008
【図７】
2006000001.tif 000009
【図８】
2006000001.tif 000010
【図９】
2006000001.tif 000011
【図１０】
2006000001.tif 000012
【図１１】
2006000001.tif 000013